(57)【要約】【課題】    本発明の目的は、収納に便利な仏壇を提供するものである。【解決手段】    仏壇１は、下台１０内に骨壷１１を収納し、下台１０の上に上台２０を載置した仏壇１であって、故人又はペットの写真１２は下台１０内に収納されると共に、骨壷１１の正面と骨壷１１の頂面の上方又は骨壷１１の側面に対向する部位に設けた収納スペース１３、１０’との間を移動自在になるように設けられ、写真１２を骨壷１１の正面に移動させ、正面視、写真１２により骨壷１１が見えないように覆い、写真１２を骨壷１１の頂面の上方又は骨壷１１の側面に対向する部位に設けた収納スペース１３、１０’に移動させ、正面視、骨壷１１が見えるものである。【選択図】図４
2019042350.tif 000002
【特許請求の範囲】
【請求項１】
下台内に骨壷を収納し、前記下台の上に上台を載置した仏壇であって、
故人又はペットの写真は、前記下台内に収納されると共に、前記骨壷の正面と前記骨壷の頂面の上方又は前記骨壷の側面に対向する部位に設けた収納スペースとの間を移動自在になるように設けられ、
前記写真を前記骨壷の正面に移動させ、正面視、前記写真により前記骨壷が見えないように覆い、
前記写真を前記骨壷の頂面の上方又は前記骨壷の側面に対向する部位に設けた前記収納スペースに移動させ、正面視、前記骨壷が見える
ことを特徴とする仏壇。 
【請求項２】
収納スペースは、下台内にあって、骨壷の頂面の上方に位置し、
写真の移動は、
前記写真を取り付けた写真台の両側に設けられた第１、第２の突起と、
前記下台の両側板に設けられた前記第１、第２の突起を案内する第１、第２の溝により、行われるものであり、
前記写真台を移動させ、前記写真台の両側に設けられた前記第１、第２の突起が前記下台の前方に位置すると、前記写真台が垂下し、正面視、前記写真台により前記骨壷が見えないように覆い、
垂下した前記写真台を持ち上げ、前記第１、第２の突起を前記下台の後方に移動させ、前記写真台を前記収納スペースに位置させ、正面視、前記骨壷が見える
ことを特徴とする請求項１記載の仏壇。 
【請求項３】
下台内に骨壷を収納し、前記下台の上に上台を載置した仏壇における写真の移動方法であって、
前記写真は、故人又はペットの写真であり、
前記写真は、前記骨壷の正面と、前記骨壷の頂面の上方又は前記骨壷の側面に対向する部位に設けた収納スペースとの間を移動自在になるように設けられ、
前記写真を前記骨壷の正面に移動させ、正面視、前記写真により前記骨壷が見えないように覆い、
前記写真を前記骨壷の頂面の上方又は前記骨壷の側面に対向する部位に設けた収納スペースに移動した時、正面視、前記骨壷が見えるように前記写真を移動させる
ことを特徴とする仏壇における写真の移動方法。  
【請求項４】
本体内に骨壷を収納した供養具であって、
故人又はペットの写真は、前記本体内に収納されると共に、前記骨壷の正面と前記骨壷の頂面の上方又は前記骨壷の側面に対向する部位に設けた収納スペースとの間を移動自在になるように設けられ、
前記写真を前記骨壷の正面に移動させ、正面視、前記写真により前記骨壷が見えないように覆い、
前記写真を前記骨壷の頂面の上方又は前記骨壷の側面に対向する部位に設けた前記収納スペースに移動させ、正面視、前記骨壷が見える
ことを特徴とする供養具。 
【請求項５】
収納スペースは、本体内にあって、骨壷の頂面の上方に位置し、
写真の移動は、
前記写真を取り付けた写真台の両側に設けられた第１、第２の突起と、
前記本体の両側板に設けられた前記第１、第２の突起を案内する第１、第２の溝により、行われるものであり、
前記写真台を移動させ、前記写真台の両側に設けられた前記第１、第２の突起が前記本体の前方に位置すると、前記写真台が垂下し、正面視、前記写真台により前記骨壷が見えないように覆い、
垂下した前記写真台を持ち上げ、前記第１、第２の突起を前記本体の後方に位置させ、前記写真台を前記収納スペースに位置させ、正面視、前記骨壷が見える
ことを特徴とする請求項４記載の供養具。 
【請求項６】
本体に骨壷を収納し供養具における写真の移動方法であって、
故人又はペットの写真は、前記本体に収納されると共に、前記骨壷の正面と前記骨壷の頂面の上方又は前記骨壷の側面に対向する部位に設けた収納スペースとの間を移動自在になるように設けられ、
前記写真は、前記骨壷の正面と、前記骨壷の頂面の上方又は前記骨壷の側面に対向する部位に設けた収納スペースを移動自在になるように設けられ、
前記写真を前記骨壷の正面に移動させ、正面視、前記写真により前記骨壷が見えないように覆い、
前記写真を前記骨壷の頂面の上方又は前記骨壷の側面に対向する部位に設けた収納スペースに移動した時、正面視、前記骨壷が見えるように前記写真を移動させる
ことを特徴とする供養具における写真の移動方法。  
【発明の詳細な説明】
【技術分野】
【０００１】
本発明は、仏壇、仏壇における写真の移動方法、供養具及び供養具における写真の移動方法に係り、特に、収納に便利な仏壇、仏壇における写真の移動方法、供養具及び供養具における写真の移動方法に関する。
【背景技術】
【０００２】
火葬後、納骨するまでの間、故人の写真、遺骨は祭壇に安置するようにしている。
【発明の概要】
【発明が解決しようとする課題】
【０００３】
ところが、納骨する日が長くなればなるほど、故人の写真、遺骨を祭壇にそのまま安置してあると、場所を取ってしまうという問題点があった。
【０００４】
本発明は、上記の問題点を考慮してなされたもので、収納に便利な仏壇、仏壇における写真の移動方法、供養具及び供養具における写真の移動方法、仏壇における写真の移動方法、供養具及び供養具における写真の移動方法を提供することを目的とする。
【課題を解決するための手段】
【０００５】
請求項１記載の仏壇は、下台内に骨壷を収納し、前記下台の上に上台を載置した仏壇であって、故人又はペットの写真は、前記下台内に収納されると共に、前記骨壷の正面と前記骨壷の頂面の上方又は前記骨壷の側面に対向する部位に設けた収納スペースとの間を移動自在になるように設けられ、前記写真を前記骨壷の正面に移動させ、正面視、前記写真により前記骨壷が見えないように覆い、前記写真を前記骨壷の頂面の上方又は前記骨壷の側面に対向する部位に設けた前記収納スペースに移動させ、正面視、前記骨壷が見える
ものである。
【０００６】
また、請求項２記載の仏壇は、請求項１記載の仏壇において、収納スペースは、下台内にあって、骨壷の頂面の上方に位置し、写真の移動は、前記写真を取り付けた写真台の両側に設けられた第１、第２の突起と、前記下台の両側板に設けられた前記第１、第２の突起を案内する第１、第２の溝により、行われるものであり、前記写真台を移動させ、前記写真台の両側に設けられた前記第１、第２の突起が前記下台の前方に位置すると、前記写真台が垂下し、正面視、前記写真台により前記骨壷が見えないように覆い、垂下した前記写真台を持ち上げ、前記第１、第２の突起を前記下台の後方に移動させ、前記写真台を前記収納スペースに位置させ、正面視、前記骨壷が見えるものである。
【０００７】
また、請求項３記載の仏壇における写真の移動方法は、下台内に骨壷を収納し、前記下台の上に上台を載置した仏壇における写真の移動方法であって、前記写真は、故人又はペットの写真であり、前記写真は、前記骨壷の正面と、前記骨壷の頂面の上方又は前記骨壷の側面に対向する部位に設けた収納スペースとの間を移動自在になるように設けられ、前記写真を前記骨壷の正面に移動させ、正面視、前記写真により前記骨壷が見えないように覆い、前記写真を前記骨壷の頂面の上方又は前記骨壷の側面に対向する部位に設けた収納スペースに移動した時、正面視、前記骨壷が見えるように前記写真を移動させるものである。
【０００８】
また、請求項４記載の供養具は、本体内に骨壷を収納した供養具であって、故人又はペットの写真は、前記本体内に収納されると共に、前記骨壷の正面と前記骨壷の頂面の上方又は前記骨壷の側面に対向する部位に設けた収納スペースとの間を移動自在になるように設けられ、前記写真を前記骨壷の正面に移動させ、正面視、前記写真により前記骨壷が見えないように覆い、前記写真を前記骨壷の頂面の上方又は前記骨壷の側面に対向する部位に設けた前記収納スペースに移動させ、正面視、前記骨壷が見えるものである。
【０００９】
また、請求項５記載の供養具は、請求項４記載の供養具において、収納スペースは、本体内にあって、骨壷の頂面の上方に位置し、写真の移動は、前記写真を取り付けた写真台の両側に設けられた第１、第２の突起と、前記本体の両側板に設けられた前記第１、第２の突起を案内する第１、第２の溝により、行われるものであり、前記写真台を移動させ、前記写真台の両側に設けられた前記第１、第２の突起が前記本体の前方に位置すると、前記写真台が垂下し、正面視、前記写真台により前記骨壷が見えないように覆い、垂下した前記写真台を持ち上げ、前記第１、第２の突起を前記本体の後方に位置させ、前記写真台を前記収納スペースに位置させ、正面視、前記骨壷が見えるものである。
【００１０】
また、請求項６記載の供養具における写真の移動方法は、本体に骨壷を収納し供養具における写真の移動方法であって、故人又はペットの写真は、前記本体に収納されると共に、前記骨壷の正面と前記骨壷の頂面の上方又は前記骨壷の側面に対向する部位に設けた収納スペースとの間を移動自在になるように設けられ、前記写真は、前記骨壷の正面と、前記骨壷の頂面の上方又は前記骨壷の側面に対向する部位に設けた収納スペースを移動自在になるように設けられ、前記写真を前記骨壷の正面に移動させ、正面視、前記写真により前記骨壷が見えないように覆い、前記写真を前記骨壷の頂面の上方又は前記骨壷の側面に対向する部位に設けた収納スペースに移動した時、正面視、前記骨壷が見えるように前記写真を移動させるものである。
【発明の効果】
【００１１】
請求項１記載の仏壇によれば、仏壇の下台を利用して、下台内に骨壷及び故人又はペットの写真を収納して使用者に安心感を与えて収納することができ、収納に便利な仏壇を得、しかも、下台内に収納した写真を骨壷の正面に移動させ、正面視、写真により前記骨壷が見えないように覆い、また、写真を骨壷の頂面の上方又は前記骨壷の側面に対向する部位に設けた収納スペースに移動させ、正面視、骨壷が見えるようにして、使用者の好みに対応することができる。
【００１２】
また、請求項２記載の仏壇によれば、上述した請求項１記載の発明の効果に加え、写真の移動は、写真を取り付けた写真台の両側に設けられた第１、第２の突起と、下台の両側板に設けられた前記第１、第２の突起を案内する第１、第２の溝により、行われるものであるため、簡易な手段により骨壷を覆ったり露出させることができる。
【００１３】
また、請求項３記載の仏壇における写真の移動方法によれば、故人又はペットの写真は、骨壷の正面と、骨壷の頂面の上方又は前記骨壷の側面に対向する部位に設けた収納スペースとの間を移動自在になるように設けられ、前記写真を前記骨壷の正面に移動させ、正面視、前記写真により前記骨壷が見えないように覆い、前記写真を前記骨壷の頂面の上方又は前記骨壷の側面に対向する部位に設けた収納スペースに移動した時、正面視、前記骨壷が見えるように前記写真を移動させるため、使用者の好みに対応することができる。
【００１４】
また、請求項４記載の供養具によれば、本体内に骨壷及び故人又はペットの写真を収納して使用者に安心感を与えて収納することができ、収納に便利な供養具を得、しかも、本体内に収納した写真を骨壷の正面に移動させ、正面視、写真により前記骨壷が見えないように覆い、また、写真を骨壷の頂面の上方又は前記骨壷の側面に対向する部位に設けた収納スペースに移動させ、正面視、骨壷が見えるようにして、使用者の好みに対応することができる。
【００１５】
また、請求項５記載の供養具によれば、上述した請求項４記載の発明の効果に加え、写真の移動は、写真を取り付けた写真台の両側に設けられた第１、第２の突起と、本体の両側板に設けられた前記第１、第２の突起を案内する第１、第２の溝により、行われるものであるため、簡易な手段により骨壷を覆ったり露出させることができる。
【００１６】
また、請求項６記載の供養具における写真の移動方法によれば、故人又はペットの写真は、骨壷の正面と、骨壷の頂面に対向する部位に設けた収納スペースとの間を移動自在になるように設けられ、前記写真を前記骨壷の正面に移動させ、正面視、前記写真により前記骨壷が見えないように覆い、前記写真を前記骨壷の頂面に対向する部位に設けた収納スペースに移動した時、正面視、前記骨壷が見えるように前記写真を移動させるため、使用者の好みに対応することができる。
【図面の簡単な説明】
【００１７】
【図１】図１は、本発明の一実施例の仏壇を示す概略的斜視図である。
【図２】図２（ａ）は、図１の概略的正面図であり、図２（ｂ）は、図２（ａ）の上台を省略し、下台の扉を開いた状態の概略的正面図であり、図２（ｃ）は、図２（ｂ）の写真を取り付けた写真台を引き出し、骨壷を隠して写真台の写真が見えるようした概略的正面図である。
【図３】図３（ａ）は、図２（ｂ）の概略的斜視図であり、図３（ｂ）は、図３（ａ）の写真を取り付けた写真台の引き出し、該写真台が垂下する前の概略的斜視図であり、図３（ｃ）は、図３（ｂ）の写真を取り付けた写真台で骨壷を隠して写真台の写真が見えるようした概略的斜視図である。
【図４】図４（ａ）は、図３（ｂ）の一部を拡大して示す概略的一部拡大斜視図であり、図４（ｂ）は、図３（ｃ）の一部を拡大して示す概略的一部拡大斜視図である。
【図５】図５は、図３記載と異なる写真を取り付けた写真台の移動を示すもので、図５（ａ）は、写真を取り付けた写真台を本体内に収納した状態を示す概略的斜視図であり、図５（ｂ）は、図５（ａ）の写真を取り付けた写真台を引き出し、骨壺側へ回動する前の概略的斜視図であり、図５（ｃ）は、図５（ｂ）の写真を取り付けた写真台で骨壷を隠して写真台の写真が見えるようした概略的斜視図である。
【図６】図６（ａ）は、図５（ｂ）の一部を拡大して示す概略的一部拡大斜視図であり、図６（ｂ）は、図５（ｃ）の一部を拡大して示す概略的一部拡大斜視図である。
【発明を実施するための形態】
【００１８】
本発明の一実施例の仏壇、仏壇における写真の移動方法、供養具及び供養具における写真の移動方法を図面（図１乃至図４、図５及び図６）を参照して説明する。
【００１９】
（図１乃至図４）
図１に示す１は仏壇で、仏壇１は、骨壷１１を収納した下台１０、この下台１０の上に上台２０を載置したものである。
【００２０】
故人の写真（又はペットの写真）１２は、下台１０内に収納されると共に、骨壷１１の正面と骨壷１１の頂面との間を移動自在になるように設けられている。
写真１２を骨壷１１の正面に移動させ、正面視、写真１２により骨壷１１が見えないように覆い［図１、図２（ｃ）、図３（ｃ）］、写真１２を骨壷１１の頂面に設けた収納スペース１３に移動させ、正面視、骨壷１１が見えるようになっている［図２（ｂ）、図３（ａ）］。
【００２１】
写真１２を骨壷１１の頂面の上方に設けた収納スペース１３に移動させる場合について、以下、説明する。
収納スペース１３は、下台１０内にあって、骨壷１１の頂面の上方に位置している。写真１２の移動は、例えば、写真１２を取り付けた写真台１４の両側に設けられた第１、第２の突起１４１、１４２と、下台１０の両側板１５、１６に設けられた第１、第２の突起１４１、１４２を案内する第１、第２の溝１５１、１５２により、行われるものである。第１、第２の溝１５１、１５２は、下台１０の両側板の内側にそれぞれ彫り込んでも良いし、図４（ａ）（ｂ）に示す第１、第２の溝１５１、１５２を有する部材Ａ、Ｂを下台１０の両側板の内側にそれぞれ取り付けるようにしても良い。図４に示すＳＡは、第１の溝１５１の前方に設けられた第１の前方ストッパーで、第１の前方ストッパーＳＡは、第１の突起１４１の前方への動きを規制する。ＳＢは、第２の溝１５２の前方に設けられた第２の前方ストッパーで、第２の前方ストッパーＳＢは、第２の突起１４２の前方への動きを規制する。
【００２２】
そして、写真台１４を手で把持して下台１０の前方へ引き出すと［図３（ａ）、図３（ｂ）、図４（ａ）］、第１、第２の突起１４１、１４２は、第１、第２の溝１５１、１５２により案内され、写真台１４を移動させ、第１、第２の突起１４１、１４２が下台１０の前方に位置すると、第１の突起１４１が第１の前方ストッパーＳＡに、第２の突起１４２が第２の前方ストッパーＳＢに、それぞれ当接して、写真台１４が垂下し、正面視、写真台１４により骨壷１１が見えないように覆い［図３（ｃ）、図４（ｂ）］、逆に、垂下した写真台１４を持ち上げ、写真台１４を手で把持して下台１０の内方へ押し込み、第１、第２の突起１４１、１４２を下台１０の後方に位置させ、つまり、第１、第２の突起１４１、１４２を下台１０の後方に移動させ、写真台１４を収納スペース１３に位置させ、正面視、骨壷１１が見えるようになる。
【００２３】
このように、写真１２を取り付けた写真台１４の両側に設けられた第１、第２の突起１４１、１４２と、下台１０の両側板に設けられた第１、第２の突起１４１、１４２を案内する第１、第２の溝１５１、１５２により、行われるもので、簡易な手段により使用者の好みに応じて、骨壷１１を覆ったり露出させることができる。
【００２４】
（図５及び図６）
なお、写真１２を骨壷１１の頂面の上方に設けた収納スペース１３に移動させたが、本願発明は、これに限らず、図５及び図６に示すように、例えば、写真１２を取り付けた写真台１４の上端と下端に設けられた第１、第２の突起１４１’、１４２’と、この第１、第２の突起１４１’、１４２’を案内する第１、第２の溝１５１’、１５２’により、行うようにしても良い。第１’、第２’の溝１５１’、１５２’は、下台１０の上下板の内側にそれぞれ彫り込んでも良いし、図６（ａ）（ｂ）に示す第１’、第２’の溝１５１’、１５２’を有する部材Ｃ、Ｄを下台１０の上下板の内側にそれぞれ取り付けるようにしても良い。図６に示すＳＣは、第１’の溝１５１’の前方に設けられた第１’の前方ストッパーで、第１’の前方ストッパーＳＣは、第１’の突起１４１’の前方への動きを規制する。ＳＤは、第２’の溝１５２’の前方に設けられた第２’の前方ストッパーで、第２’の前方ストッパーＳＤは、第２’の突起１４２’の前方への動きを規制する。
【００２５】
即ち、写真１２を取り付けた写真台１４で骨壷１１が見えないようにするには、写真１２を取り付けた写真台１４を骨壷１１の正面に移動させ［図５（ａ）、図５（ｂ）］、
第１’、第２’の突起１４１’、１４２’が下台１０の前方に位置すると、第１’の突起１４１’が第１’の前方ストッパーＳＣに、第２’の突起１４２’が第２の前方ストッパーＳＤに、それぞれ当接する。その後、写真１２を取り付けた写真台１４を手で骨壺１１側へ回動すると、正面視、写真１２により骨壷１１が見えないように覆い［図５（ｃ）］、写真１２を取り付けた写真台１４を骨壷１１の側面に設けた収納スペース１３’に移動させ、正面視、骨壷１１が見えるようになっている［図５（ｂ）、図５（ａ）］。
【００２６】
また、上述した実施例は、下台１０に骨壷１１を収納し、下台１０の上に上台２０を載置した仏壇１であったが、本願発明にあっては、これに限らず、上台２０がない下台１０のみで構成しても良い。この場合、下台１０は供養具１’となる。
即ち、供養具１’は、本体１０内に骨壷１１を収納した供養具１’であって、故人又はペットの写真１２（写真１２を取り付けた写真台１４）は、本体１０内に収納されると共に、骨壷１１の正面と骨壷１１の頂面の上方（図１乃至図４）又は骨壷１１の側面（図５及び図６）に対向する部位に設けた収納スペース１３、１３’との間を移動自在になるように設けられ、写真１２を骨壷１１の正面に移動させ、正面視、写真１２により骨壷１１が見えないように覆い、写真１２を骨壷１１の頂面の上方又は骨壷１１の側面に対向する部位に設けた収納スペース１３、１３’に移動させ、正面視、骨壷１１が見えるようになっている。
【００２７】
上述の仏壇における写真の移動方法（供養具及び供養具における写真の移動方法）によれば、故人又はペットの写真１２は、骨壷１１の正面と、骨壷１１の頂面の上方又は骨壷１１の側面に対向する部位に設けた収納スペース１３、１３’との間を移動自在になるように設けられ、写真１２を骨壷１１の正面に移動させ、正面視、写真１２により骨壷１１が見えないように覆い、写真１２を骨壷１１の頂面の上方又は骨壷１１の側面に対向する部位に設けた収納スペース１３、１３’に移動した時、正面視、骨壷１１が見えるように写真１２を移動させるため、使用者の好みに対応することができる。
【符号の説明】
【００２８】
１      仏壇
１’    供養具
１０    下台
１１    骨壷
１２    故人又はペットの写真
１３    収納スペース
１３’  収納スペース
【図１】
2019042350.tif 000003
【図２】
2019042350.tif 000004
【図３】
2019042350.tif 000005
【図４】
2019042350.tif 000006
【図５】
2019042350.tif 000007
【図６】
2019042350.tif 000008
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
下台内に骨壷を収納し、前記下台の上に上台を載置し、
前記上台は、仏壇を備え、
写真台は、故人又はペットの写真が取り付けられたものであって、１個であり、
１個の前記写真台は、前記下台内に収納されると共に、前記骨壷の正面と前記骨壷の頂面の上方又は前記骨壷の側面に対向する部位に設けた収納スペースとの間を移動自在になるように設けられ、
１個の前記写真台を前記骨壷の正面に移動させ、正面視、前記写真台により前記骨壷が見えないように覆い、
１個の前記写真台を前記骨壷の頂面の上方又は前記骨壷の側面に対向する部位に設けた前記収納スペースに移動させて収納し、正面視、前記骨壷が見える
ことを特徴とする仏壇。 
【請求項２】
収納スペースは、下台内にあって、骨壷の頂面の上方に位置し、
写真台の移動は、
前記写真台の両側に設けられた第１、第２の突起と、
前記下台の両側板に設けられた前記第１、第２の突起を案内する第１、第２の溝により、行われるものであり、
前記写真台を移動させ、前記写真台の両側に設けられた前記第１、第２の突起が前記下台の前方に位置すると、前記写真台が垂下し、正面視、前記写真台により前記骨壷が見えないように覆い、
垂下した前記写真台を持ち上げ、前記第１、第２の突起を前記下台の後方に移動させ、前記写真台を前記収納スペースに位置させ、正面視、前記骨壷が見える
ことを特徴とする請求項１記載の仏壇。 
【請求項３】
下台内に骨壷を収納し、
前記下台の上に上台を載置し、
前記上台は、仏壇を備え、
写真台は、故人又はペットの写真が取り付けられたものであって、１個であり、
１個の前記写真台は、前記骨壷の正面と、前記骨壷の頂面の上方又は前記骨壷の側面に対向する部位に設けた収納スペースとの間を移動自在になるように設けられ、
１個の前記写真台を前記骨壷の正面に移動させ、正面視、１個の前記写真台により前記骨壷が見えないように覆い、
１個の前記写真台を前記骨壷の頂面の上方又は前記骨壷の側面に対向する部位に設けた収納スペースに移動させて収納した時、正面視、前記骨壷が見えるように１個の前記写真台を移動させる
ことを特徴とする仏壇における写真台の移動方法。  
【請求項４】
本体内に骨壷を収納した供養具であって、
写真台は、故人又はペットの写真が取り付けられたものであって、１個であり、
１個の前記写真台は、前記本体内に収納されると共に、前記骨壷の正面と前記骨壷の頂面の上方又は前記骨壷の側面に対向する部位に設けた収納スペースとの間を移動自在になるように設けられ、
１個の前記写真台を前記骨壷の正面に移動させ、正面視、１個の前記写真台により前記骨壷が見えないように覆い、
１個の前記写真台を前記骨壷の頂面の上方又は前記骨壷の側面に対向する部位に設けた前記収納スペースに移動させて収納し、正面視、前記骨壷が見える
ことを特徴とする供養具。 
【請求項５】
収納スペースは、本体内にあって、骨壷の頂面の上方に位置し、
写真台の移動は、
前記写真台の両側に設けられた第１、第２の突起と、
前記本体の両側板に設けられた前記第１、第２の突起を案内する第１、第２の溝により、行われるものであり、
前記写真台を移動させ、前記写真台の両側に設けられた前記第１、第２の突起が前記本体の前方に位置すると、前記写真台が垂下し、正面視、前記写真台により前記骨壷が見えないように覆い、
垂下した前記写真台を持ち上げ、前記第１、第２の突起を前記本体の後方に位置させ、前記写真台を前記収納スペースに位置させ、正面視、前記骨壷が見える
ことを特徴とする請求項４記載の供養具。 
【請求項６】
本体に骨壷を収納した供養具における写真台の移動方法であって、
写真台は、故人又はペットの写真が取り付けられたものであって、１個であり、
１個の前記写真台は、前記本体に収納されると共に、前記骨壷の正面と前記骨壷の頂面の上方又は前記骨壷の側面に対向する部位に設けた収納スペースとの間を移動自在になるように設けられ、
１個の前記写真台は、前記骨壷の正面と、前記骨壷の頂面の上方又は前記骨壷の側面に対向する部位に設けた収納スペースを移動自在になるように設けられ、
１個の前記写真台を前記骨壷の正面に移動させ、正面視、前記写真台により前記骨壷が見えないように覆い、
１個の前記写真台を前記骨壷の頂面の上方又は前記骨壷の側面に対向する部位に設けた収納スペースに移動させて収納した時、正面視、前記骨壷が見えるように１個の前記写真台を移動させる
ことを特徴とする供養具における写真台の移動方法。  
【請求項７】
本体に骨壷を収納した供養具における写真台の移動方法であって、
写真台は、故人又はペットの写真が取り付けられたものであって、
前記写真台は、前記本体に収納されると共に、前記骨壷の正面と前記骨壷の頂面の上方又は前記骨壷の側面に対向する部位に収納スペースを設け、
前記写真台を前記骨壷の正面に移動させ、正面視、前記写真台により前記骨壷が見えないように覆い、
前記写真台を前記骨壷の頂面の上方又は前記骨壷の側面に対向する部位に設けた前記収納スペースに移動させて収納した時、正面視、前記骨壷が見えるように前記写真台を移動させる
ことを特徴とする供養具における写真台の移動方法。
【手続補正３】
【補正対象書類名】明細書
【補正対象項目名】０００１
【補正方法】変更
【補正の内容】
【０００１】
本発明は、仏壇、仏壇における写真台の移動方法、供養具及び供養具における写真台の移動方法に係り、特に、収納に便利な仏壇、仏壇における写真台の移動方法、供養具及び供養具における写真台の移動方法に関する。
【手続補正４】
【補正対象書類名】明細書
【補正対象項目名】０００４
【補正方法】変更
【補正の内容】
【０００４】
本発明は、上記の問題点を考慮してなされたもので、収納に便利な仏壇、仏壇における写真台の移動方法、供養具及び供養具における写真台の移動方法、仏壇における写真台の移動方法、供養具及び供養具における写真台の移動方法を提供することを目的とする。
【手続補正５】
【補正対象書類名】明細書
【補正対象項目名】０００５
【補正方法】変更
【補正の内容】
【０００５】
請求項１記載の仏壇は、下台内に骨壷を収納し、前記下台の上に上台を載置し、
前記上台は、仏壇を備え、写真台は、故人又はペットの写真が取り付けられたものであって、１個であり、１個の前記写真台は、前記下台内に収納されると共に、前記骨壷の正面と前記骨壷の頂面の上方又は前記骨壷の側面に対向する部位に設けた収納スペースとの間を移動自在になるように設けられ、１個の前記写真台を前記骨壷の正面に移動させ、正面視、前記写真台により前記骨壷が見えないように覆い、１個の前記写真台を前記骨壷の頂面の上方又は前記骨壷の側面に対向する部位に設けた前記収納スペースに移動させて収納し、正面視、前記骨壷が見えるものである。
【手続補正６】
【補正対象書類名】明細書
【補正対象項目名】０００６
【補正方法】変更
【補正の内容】
【０００６】
また、請求項２記載の仏壇は、請求項１記載の仏壇において、収納スペースは、下台内にあって、骨壷の頂面の上方に位置し、写真台の移動は、前記写真台の両側に設けられた第１、第２の突起と、前記下台の両側板に設けられた前記第１、第２の突起を案内する第１、第２の溝により、行われるものであり、前記写真台を移動させ、前記写真台の両側に設けられた前記第１、第２の突起が前記下台の前方に位置すると、前記写真台が垂下し、正面視、前記写真台により前記骨壷が見えないように覆い、垂下した前記写真台を持ち上げ、前記第１、第２の突起を前記下台の後方に移動させ、前記写真台を前記収納スペースに位置させ、正面視、前記骨壷が見えるものである。
【手続補正７】
【補正対象書類名】明細書
【補正対象項目名】０００７
【補正方法】変更
【補正の内容】
【０００７】
また、請求項３記載の仏壇における写真台の移動方法は、下台内に骨壷を収納し、前記下台の上に上台を載置し、前記上台は、仏壇を備え、写真台は、故人又はペットの写真が取り付けられたものであって、１個であり、１個の前記写真台は、前記骨壷の正面と、前記骨壷の頂面の上方又は前記骨壷の側面に対向する部位に設けた収納スペースとの間を移動自在になるように設けられ、１個の前記写真台を前記骨壷の正面に移動させ、正面視、１個の前記写真台により前記骨壷が見えないように覆い、１個の前記写真台を前記骨壷の頂面の上方又は前記骨壷の側面に対向する部位に設けた収納スペースに移動させて収納した時、正面視、前記骨壷が見えるように１個の前記写真台を移動させるものである。
【手続補正８】
【補正対象書類名】明細書
【補正対象項目名】０００８
【補正方法】変更
【補正の内容】
【０００８】
また、請求項４記載の供養具は、本体内に骨壷を収納した供養具であって、写真台は、故人又はペットの写真が取り付けられたものであって、１個であり、１個の前記写真台は、前記本体内に収納されると共に、前記骨壷の正面と前記骨壷の頂面の上方又は前記骨壷の側面に対向する部位に設けた収納スペースとの間を移動自在になるように設けられ、１個の前記写真台を前記骨壷の正面に移動させ、正面視、１個の前記写真台により前記骨壷が見えないように覆い、１個の前記写真台を前記骨壷の頂面の上方又は前記骨壷の側面に対向する部位に設けた前記収納スペースに移動させて収納し、正面視、前記骨壷が見えるものである。
【手続補正９】
【補正対象書類名】明細書
【補正対象項目名】０００９
【補正方法】変更
【補正の内容】
【０００９】
また、請求項５記載の供養具は、請求項４記載の供養具において、収納スペースは、本体内にあって、骨壷の頂面の上方に位置し、写真台の移動は、前記写真台の両側に設けられた第１、第２の突起と、前記本体の両側板に設けられた前記第１、第２の突起を案内する第１、第２の溝により、行われるものであり、前記写真台を移動させ、前記写真台の両側に設けられた前記第１、第２の突起が前記本体の前方に位置すると、前記写真台が垂下し、正面視、前記写真台により前記骨壷が見えないように覆い、垂下した前記写真台を持ち上げ、前記第１、第２の突起を前記本体の後方に位置させ、前記写真台を前記収納スペースに位置させ、正面視、前記骨壷が見えるものである。
【手続補正１０】
【補正対象書類名】明細書
【補正対象項目名】００１０
【補正方法】変更
【補正の内容】
【００１０】
また、請求項６記載の供養具における写真台の移動方法は、本体に骨壷を収納した供養具における写真台の移動方法であって、前記写真台は、故人又はペットの写真が取り付けられたものであって、１個であり、１個の前記写真台は、前記本体に収納されると共に、前記骨壷の正面と前記骨壷の頂面の上方又は前記骨壷の側面に対向する部位に設けた収納スペースとの間を移動自在になるように設けられ、１個の前記写真台は、前記骨壷の正面と、前記骨壷の頂面の上方又は前記骨壷の側面に対向する部位に設けた収納スペースを移動自在になるように設けられ、１個の前記写真台を前記骨壷の正面に移動させ、正面視、前記写真台により前記骨壷が見えないように覆い、１個の前記写真台を前記骨壷の頂面の上方又は前記骨壷の側面に対向する部位に設けた収納スペースに移動させて収納した時、正面視、前記骨壷が見えるように１個の前記写真台を移動させるものである。
また、請求項７記載の供養具における写真台の移動方法は、本体に骨壷を収納した供養具における写真台の移動方法であって、写真台は、故人又はペットの写真が取り付けられたものであって、前記写真台は、前記本体に収納されると共に、前記骨壷の正面と前記骨壷の頂面の上方又は前記骨壷の側面に対向する部位に収納スペースを設け、前記写真台を前記骨壷の正面に移動させ、正面視、前記写真台により前記骨壷が見えないように覆い、前記写真台を前記骨壷の頂面の上方又は前記骨壷の側面に対向する部位に設けた前記収納スペースに移動させて収納した時、正面視、前記骨壷が見えるように前記写真台を移動させるものである。
【手続補正１１】
【補正対象書類名】明細書
【補正対象項目名】００１３
【補正方法】変更
【補正の内容】
【００１３】
また、請求項３記載の仏壇における写真台の移動方法によれば、写真台は、骨壷の正面と、骨壷の頂面の上方又は前記骨壷の側面に対向する部位に設けた収納スペースとの間を移動自在になるように設けられ、前記写真台を前記骨壷の正面に移動させ、正面視、前記写真台により前記骨壷が見えないように覆い、前記写真台を前記骨壷の頂面の上方又は前記骨壷の側面に対向する部位に設けた収納スペースに移動した時、正面視、前記骨壷が見えるように前記写真台を移動させるため、使用者の好みに対応することができる。
【手続補正１２】
【補正対象書類名】明細書
【補正対象項目名】００１６
【補正方法】変更
【補正の内容】
【００１６】
また、請求項６記載の供養具における写真台の移動方法によれば、写真台は、骨壷の正面と、骨壷の頂面に対向する部位に設けた収納スペースとの間を移動自在になるように設けられ、前記写真台を前記骨壷の正面に移動させ、正面視、前記写真台により前記骨壷が見えないように覆い、前記写真台を前記骨壷の頂面に対向する部位に設けた収納スペースに移動した時、正面視、前記骨壷が見えるように前記写真台を移動させるため、使用者の好みに対応することができる。
【手続補正１３】
【補正対象書類名】明細書
【補正対象項目名】００１８
【補正方法】変更
【補正の内容】
【００１８】
本発明の一実施例の仏壇、仏壇における写真台の移動方法、供養具及び供養具における写真台の移動方法を図面（図１乃至図４、図５及び図６）を参照して説明する。